(57)【特許請求の範囲】
【請求項１】
新聞紙、雑誌等の被結束物を結束紐により結束するための補助具であって、
ベースプレートと、
このベースプレートの端部に設けられ、該ベースプレートの上面側に折り曲げ可能となっている折曲片とを備え、
前記ベースプレートの上面には突起が形成され、
前記折曲片にはその周縁の一部から該折曲片の内側に向かって延びるスリットが形成されていることを特徴とする結束補助具。
【請求項２】
前記折曲片は端部中央にＶ字形の切り欠きが形成され、前記スリットは前記切り欠きの奥部から形成されていることを特徴とする請求項１記載の結束補助具。
【請求項３】
前記突起は頂部にフランジを有し、前記切り欠きの互いに対向する縁部が前記フランジの下面に係合可能となっていることを特徴とする請求項２記載の結束補助具。
【請求項４】
前記スリットを挟む前記折曲片の両側部分が互いに段差を形成していることを特徴とする請求項１，２又は３記載の結束補助具。
【請求項５】
前記ベースプレートの他方の端部に、該ベースプレート側に折り曲げ可能となっている第２の折曲片が設けられ、この第２の折曲片には前記ベースプレートに設けられた孔に嵌合可能な突起が設けられていることを特徴とする請求項１〜４のいずれか１記載の結束補助具。
【発明の詳細な説明】
【技術分野】
【０００１】
この発明は、結束補助具に関し、さらに詳細には、新聞紙や雑誌等の被結束物を紐により束ねる際に使用する補助具に関する。
【背景技術】
【０００２】
一般に、新聞、雑誌等の古紙は、リサイクル利用のために、回収されている。回収の際には、古紙は積み重ねられ、多くの場合、市販のポリプロピレン製の荷造り用結束紐で十字形に縛られ、回収場所へと運ばれている。この結束紐を用いて十字形に古紙を縛る作業は面倒であり、しかも緊張を保った状態で縛るのは難しく、結束紐が弛みやすい。このため、運搬途中に積み重ねた古紙がばらけたり、あるいは回収後の事業者による処理作業中にばらけたりすることが多い。
【０００３】
上記のような問題に対処するために、従来、いくつかの結束補助具が提案されている（特許文献１，２参照）。特許文献１に開示された結束補助具は、ベース上に支持部を設け、この支持部の頂部にベースとの間で折り返し溝を形成する折り返し用突片及び挟持溝を形成する係止用突片をそれぞれ設けたものである。しかしながら、特許文献１には被結束物を紐を十字形にして結束する使用形態については、何ら説明がない。仮に、特許文献１に記載のものを用い、紐を十字形して結束しようとする場合、紐の終端部は挟持溝に挟みこむこととなるが、挟持溝にはその段階で既に幾重にも紐が挟み込まれており、しかも挟持溝はテーパ状になっていることから紐の終端部が抜け出し易い。また、紐の始端部は、ベースに設けた孔に通してベースに固定する方式であり、面倒である。
【０００４】
特許文献２に開示された結束補助具は、プレートに複数の切れ目を設け、紐の始端部及び終端部を切れ目に入れ込み、さらにこれら紐の始端部及び終端部を他の切れ目にも入れ込むようにしたものである。しかしながら、プレートは被結束物の面上に接しており、紐を切れ目に入れ込むのにはプレートを浮かせなければならず面倒である。また浮かした分、紐が緩まざるを得ない。
【特許文献１】特願２００６−１４３３２０号公報
【特許文献２】特願２００７−９１２３９号公報
【発明の開示】
【発明が解決しようとする課題】
【０００５】
この発明は上記のような技術的背景に基づいてなされたものであって、次の目的を達成するものである。
この発明の目的は、簡単な操作で被結束物を緊張状態で結束することができ、しかも終端部の処理も容易に行うことができる結束補助具を提供することにある。
【課題を解決するための手段】
【０００６】
この発明は上記課題を達成するために、次のような手段を採用している。
すなわち、この発明は、新聞紙、雑誌等の被結束物を結束紐により結束するための補助具であって、
ベースプレートと、
このベースプレートの端部に設けられ、該ベースプレートの上面側に折り曲げ可能となっている折曲片とを備え、
前記ベースプレートの上面には突起が形成され、
前記折曲片にはその周縁の一部から該折曲片の内側に向かって延びるスリットが形成されていることを特徴とする結束補助具にある。
【０００７】
より具体的には、前記折曲片は端部中央にＶ字形の切り欠きが形成され、前記スリットは前記切り欠きの奥部から形成されている。また、前記突起は頂部にフランジを有し、前記切り欠きの互いに対向する縁部が前記フランジの下面に係合可能となっている。また、前記スリットを挟む前記折曲片の両側部分が互いに段差を形成している。
【０００８】
前記ベースプレートの他方の端部に、該ベースプレート側に折り曲げ可能となっている第２の折曲片が設けられ、この第２の折曲片には前記ベースプレートに設けられた孔に嵌合可能な突起が設けられている構成とすることもできる。
【発明の効果】
【０００９】
この発明によれば、ベースプレートに設けた突起を介して結束紐を緊張させ、あるいは結束紐の方向を変えることができるので、簡単な操作で被結束物を結束することができる。また、結束紐の終端部の処理は、折り曲げ可能な折曲片に形成されたスリットに入れ込むことによりなされるので、折曲片を適宜角度起立させることにより容易にその処理を行うことができる。
【発明を実施するための最良の形態】
【００１０】
この発明の実施形態を図面を参照しながら以下に説明する。図１は、この発明による結束補助具の実施形態を示す斜視図、図２は平面図、図３は側面図である。結束補助具１は、ベースプレート２と折曲片３とを備えている。結束補助具１は、ポリプロピレン等の樹脂材料を一体成形して作られ、ベースプレート２と折曲片３とは両者の境界部に形成される薄肉部４を介して連なっている。この薄肉部４は曲げ変形可能であり、これにより折曲片３はベースプレート２の上面側に折り曲げ可能である。
【００１１】
ベースプレート２の上面には円柱状の突起５が設けられ、突起５は頂部にフランジ６を有している。折曲片３の端部中央にはＶ字形の切り欠き７が形成されている。そして、折曲片３には切り欠き７の奥部から、折曲片３の中心線に沿って内側に延びるスリット８が形成されている。このスリット８の終端は孔９となっている。
【００１２】
折曲片３は前記のようにベースプレート２側に折り曲げ可能である。折曲片３をその端部が突起５のフランジ６に達するまで折り曲げ、さらに折り曲げると端部はフランジ６を乗り越えて、図４に示すように切り欠き７の互いに対向する縁部がフランジ６の下面に係合するようになっている。
【００１３】
折曲片３は、スリット８を挟む両側部分１０ａ，１０ｂが互いに段差を形成している。すなわち、一方の片側部分１０ａは他方の片側部分１０ｂに対し、それらの厚み方向に関し段差を生じている。この段差はほぼ片側部分１０ａ，１０ｂの厚み分である。
【００１４】
次に上記結束補助具の使用態様について図５を参照しながら説明する。図５において、（ａ）〜（ｄ）までは理解の容易のために突起５のフランジ６は示さず、突起５のみを断面で示してある。また、結束補助具１は積み重ねられた新聞紙や雑誌等の被結束物の上面に載置されるものとし、被結束物の形状は示されていない。因みに、結束補助具１の大きさは、例えば、幅が１．５ｃｍ程度、折曲片３を含めた長さが３ｃｍ程度であり、被結束物の平面大きさに比べて極めて小さい。
【００１５】
結束紐１１としては、荷造り用紐として市販されているポリプロピレン製のものを使用することができる。以下の説明では、結束紐１１が十字形となるように被結束物を結束するので、被結束物上で交差する一方の方向をＸ、他方の方向をＹとする。
【００１６】
まず、図５（ａ）に示すように、結束紐１１の始端部を折り返して結び目を作りループ状の始端部１１ａとする。そして、このループ状始端部１１ａを突起５に引っ掛ける。次に、図５（ｂ）に示すように、結束紐１１を被結束物の下面側をＸ方向にくぐらせ（結束紐１１の上に被結束物を置くことにより、この操作は省略できる）、突起５に半回巻き付け、結束紐１１の終端部側をＸ方向に引っ張る。そして、図５（ｃ）に示すように、結束紐１１を突起５にさらに巻き付け（１回あるいは２回程度）、終端部側の結束紐１１の方向をＹ方向に変える。この段階で、突起５と結束紐１１との間には摩擦が生じているので、結束紐１１がＸ方向に緩むことはない。
【００１７】
次に、図５（ｄ）に示すように、結束紐１１を被結束物の下面側をＹ方向にくぐらせ、Ｘ方向の場合と同様に、突起５に半回巻き付け、結束紐１１の終端部１１ｂ側をＹ方向に引っ張ったうえ突起５にさらに巻き付け、終端部１１ｂを折曲片３のスリット８を通して孔９に入れ込む。その際、折曲片３を適宜角度に起立させ、終端部１１ｂをスリット８に入れ込む。なお、このとき、結束補助具１は、結束紐１１の突起５への巻き付けにより被結束物上を角度回転し、Ｘ，Ｙ方向の結束紐部分からのズレを生じるので、折曲片３の起立が阻害されることはない。そして、最後に、図５（ｅ）に示すように、折曲片３を折り曲げ、Ｖ字形切り欠き７の縁部をフランジ６の下面に係合させる。
【００１８】
上記のように、この発明による結束補助具１は、折り曲げ可能な折曲片３にスリット８が形成されているので、折曲片３を適宜角度に起立させることにより、終端部１１ｂを容易にスリット８に入れ込むことができる。また、スリット８はＶ字形の切り欠き７の奥部から形成されているので、切り欠き７の縁部をガイドとして結束紐１１の終端部１１ｂをスリット８に容易に導くことができる。
【００１９】
また、スリット８を挟む折曲片３の両側部分１０ａ，１０ｂは互いに段差を形成しているので、結束紐１１を低い方の片側部分１０ａに沿って滑らせることにより、スリット８に容易に入れ込むことができる。さらに、スリット８の終端には孔９が形成されているので、いったん孔９に入った結束紐１１は拘束され、スリット８を通って抜け出すことはない。さらに、折曲片３の端部、具体的には、Ｖ字形切り欠き７の互いに対向する縁部が突起５のフランジ６の下面に係合するので、結束紐１１の終端部１１ｂは折曲片３とベースプレート２との間に挟持され、終端部１１ｂが折曲片３から容易に抜け出すことはない。すなわち、フランジ６の下面に係合した折曲片３はストッパとして機能する。
【００２０】
図６は、この発明の別の実施形態を示す側面図である。この実施形態のものは、ベースプレート２の他端部、すなわち折曲片３（これを、以下、第１の折曲片３とする）と反対側の端部に、べープレート２の下方側に延びる第２の折曲片１３を有している。第２の折曲片１３は所定の長さを有する薄肉部１４を介してベースプレート２に連なり、ベースプレート２の下面側に折り曲げ可能である。第２の折曲片１３のベースプレート２側の面には突起１５が設けられている。他方、ベースプレート２には孔１６が設けられ、この孔１６に突起１５が嵌合可能である。
【００２１】
第２の折曲片１３は結束紐の始端部を固定するためのものであり、次のようにして使用される。すなわち、結束紐の始端部を薄肉部１４に２，３回巻き付けた後、図７に示すように、第２の折曲片１３をベースプレート２側に折り曲げ、突起１５を孔１６に嵌合させる。この突起１５の孔１６への嵌合により、第２の折曲片１３はベースプレート２の下面側に固定され、結束紐１１の始端部１１ａはベースプレート２と第２の折曲片１３との間に挟持される。この状態で始端部１１ａは摩擦によりベースプレート２に固定される。なお、突起５を有するベースプレート２及び第１の折曲片３の構造、機能は前記実施形態と全く同様であり、したがって始端部１１ａを固定した後の結束手順は、前記実施形態と全く同様である。
【図面の簡単な説明】
【００２２】
【図１】この発明の実施形態を示す斜視図である。
【図２】同実施形態のものの平面図である。
【図３】同実施形態のものの側面図である。
【図４】折曲片の係合状態を示す平面図である。
【図５】同実施形態のものの使用態様を示す図である。
【図６】別の実施形態を示す側面図である。
【図７】同実施形態のものの使用態様を示す図である。
【符号の説明】
【００２３】
１      結束補助具
２      ベースプレート
３      折曲片（第１の折曲片）
４      薄肉部
５      突起
６      フランジ
７      切り欠き
８      スリット
９      孔
１１      結束紐
１１ａ    始端部
１１ｂ    終端部
１３      折曲片（第２の折曲片）
１４      薄肉部
１５      突起
１６      孔
【図１】
0005142790.tif 000002
【図２】
0005142790.tif 000003
【図３】
0005142790.tif 000004
【図４】
0005142790.tif 000005
【図５】
0005142790.tif 000006
【図６】
0005142790.tif 000007
【図７】
0005142790.tif 000008